(57)【要約】【課題】スッキリとした状態で複数のリモコンを設置できる浴室リモコンの設置構造の提供。【解決手段】ネジで浴室の壁面に固定されるリモコン本体と、このリモコン本体の操作面のみを露出させてネジの頭部を隠蔽できる化粧カバー１６，１７，１８で構成され、リモコンを複数列設させる際に、各化粧カバー１６，１７，１８を面一状に連続させることのできる形状に構成されている。【選択図】図１
2004008593.tif 000002
【特許請求の範囲】
【請求項１】
ネジで浴室の壁面に固定されるリモコン本体と、該リモコン本体の操作面のみを露出させて前記ネジの頭部を隠蔽できる化粧カバーで構成されたリモコンを複数列設可能に、前記化粧カバーは、列設状態で少なくとも一面が面一状に連続される形状に形成されていることを特徴とする浴室リモコンの設置構造。
【請求項２】
列設状態において、前記各化粧カバーのつなぎ部分には、凹状の溝が形成されるように構成されていることを特徴とする請求項１に記載の浴室リモコンの設置構造。
【発明の詳細な説明】
【０００１】
【発明の属する技術分野】
この発明は、浴室内に設置されるリモコンの設置構造に関するものである。
【０００２】
【従来の技術及び発明が解決しようとする課題】
従来、浴室内に、例えば２個のリモコンを列設させる場合に、図６に示すように、ネジ孔１ｃ，１ｃ，２ｃ，２ｃ内に、それぞれネジ４，４，４，４を通して、リモコン本体１とリモコン本体２を壁面に列設状に固定し、この２つのリモコン本体１，２の前面に、リモコン本体１の操作面１ａおよびリモコン本体２の操作面２ａが、それぞれ嵌まり込む開口３ａ，３ａが一体形成された化粧カバー３を覆設している。
このように、一体状の化粧カバー３で、複数のリモコン本体１，２を覆蓋するような構造では、リモコン本体を３個列設させる場合には、開口３ａが３個形成された化粧カバー３が必要となり、リモコン本体の個数に応じた開口３ａの数の異なる複数の化粧カバー３を用意しておく必要があるという問題点があった。
【０００３】
なお、図７の分解図で示すように、１個のリモコン本体１の前面に、１個の開口５ａを有する化粧カバー５を覆設する単品化したリモコンを、図８のように列設する場合には、図９の平面図で示すように、リモコン同士のつなぎ目に大きな段差部Ｃが形成されることとなり、この段差部Ｃにより設置状態の見栄え性が悪化してしまうという問題点があった。
【０００４】
【課題を解決するための手段】
本発明は、上記従来の問題点に鑑み案出したものであって、複数のリモコンをスッキリとした状態で列設させることのできる浴室リモコンの設置構造を提供せんことを目的とし、その第１の要旨は、ネジで浴室の壁面に固定されるリモコン本体と、該リモコン本体の操作面のみを露出させて前記ネジの頭部を隠蔽できる化粧カバーで構成されたリモコンを複数列設可能に、前記化粧カバーは、列設状態で少なくとも一面が面一状に連続される形状に形成されていることである。
また、第２の要旨は、列設状態において、前記各化粧カバーのつなぎ部分には、凹状の溝が形成されるように構成されていることである。
【０００５】
【発明の実施の形態】
以下、本発明の実施例を図面に基づいて説明する。
図１は、３個の化粧カバーの分解状態の斜視構成図であり、この３個の化粧カバー１６，１７，１８は、図２に示すようなリモコン本体１の前面にそれぞれ嵌め込んで取付けできるように構成されている。
図２におけるリモコン本体１は、前面に操作面１ａが形成され、後面には浴室の壁面に取付けるための取付座１１が設けられ、取付座１１の前面には段部１ｂが形成されて、この段部１ｂの上下面に、それぞれ突出状に係止突起１２，１２，１２，１２が一体形成され、左右側には、ネジ４を通すネジ孔１ｃ，１ｃが形成されている。
【０００６】
このリモコン本体１は、図３の側面断面図で示すように、浴室の壁面１５に開口した通し孔１５ａ内に、リモコンケーブル１３とコネクター１４を通し、壁面１５に取付座１１を当接させ、ネジ孔１ｃ内にネジ（タッピングネジ）４を通して、ネジ４を介して取付座１１を壁面１５に固定できるものである。
このようなリモコン本体１の操作面１ａのみが異なるものを、複数壁面１５にネジ４，４，４を介して列設状に固定することができ、この状態で、各リモコン本体１の前面側から、化粧カバー１６，１７，１８を嵌め込んで取付けできるものである。
【０００７】
図１における左用化粧カバー１６は、リモコン本体１の操作面１ａが露出状に嵌め込まれる開口１６ａを有しており、右端面を除く上面，下面、及び左端面には、後方側へ一体状に延びる外周覆蓋片１６ｂが形成されており、この外周覆蓋片１６ｂは、リモコン本体１に嵌め込んで取付けた時に、取付座１１の外周をも完全に隠蔽させることのできる寸法形状に形成されている。
また、この外周覆蓋片１６ｂの内側には、凹み状に係合凹部１６ｃ，１６ｃが上下に４個形成されており、リモコン本体１に左用化粧カバー１６を前方側から嵌め込んだ時に、この係合凹部１６ｃ，１６ｃ内にリモコン本体１の係止突起１２，１２が嵌まり込んで係止されるように構成されている。
【０００８】
なお、図１における右用化粧カバー１７は、左用化粧カバー１６と同一のものであり、上下をひっくり返して対向状に配置して用いられるものである。即ち、左用化粧カバー１６の右端上部には、Ｌ字状の連結用Ｌ片１６ｄが一体状に突出形成されており、上下をひっくり返した右用化粧カバー１７においては、左端下部に連結用Ｌ片１７ｄが突出されて、左用化粧カバー１６と右用化粧カバー１７は、連結用Ｌ片１６ｄ，１７ｄを介して一体状に連結できるものである。
【０００９】
２個のリモコン本体１を壁面１５に固設させ、その状態でそれぞれ前面側から左用化粧カバー１６と右用化粧カバー１７を被せると、図４に示すような設置状態となり、従来のようにつなぎ部分に段差が生じることなく、左用化粧カバー１６と右用化粧カバー１７が一体状に連続した形状となり、スッキリとした設置状態が得られるものである。
即ち、図４の設置状態では、左用化粧カバー１６と右用化粧カバー１７のそれぞれの上面Ｐ１，Ｐ１が面一状に連続し、また、それぞれの前面Ｐ２，Ｐ２も面一状に連続状態となり、つなぎ部分に凹状の溝Ｍが形成されたスッキリとした設置状態が得られるものである。
【００１０】
なお、両化粧カバー１６，１７間に凹状の溝Ｍが形成されるようにしたのは、例えば、リモコン本体１と別のリモコン本体が、僅かに位置ズレしているような場合に、この凹状溝Ｍにより、その位置ズレを目立たなくすることができるためである。即ち、この凹状溝Ｍにより、位置ズレを良好に吸収して、左用化粧カバー１６と右用化粧カバー１７をほぼ面一状に連続した状態に良好に設置できるものである。
【００１１】
なお、リモコン本体１を横方向に３個列設させる場合には、左用化粧カバー１６と右用化粧カバー１７の間に、中央用化粧カバー１８を配置させて連続状に一体化させることができるものである。
即ち、中央用化粧カバー１８は、リモコン本体の操作面が嵌まり込む開口１８ａを前面に備え、上面覆蓋片１８ｂと、下面覆蓋片１８ｃが平行状に後方側へ一体状に折れ曲って形成され、左端面の下部には、左側方へ突出してＬ字状の連結用左Ｌ片１８ｄが一体形成され、右端面の上部には、右側方へ突出してＬ字状の連結用右Ｌ片１８ｅが一体形成されたものとなっている。
従って、この左右の連結用Ｌ片１８ｄ，１８ｅを、それぞれ左用化粧カバー１６、及び右用化粧カバー１７に差込んで、図５のように、３つの化粧カバー１６，１７，１８を連続した状態に一体化させることができるものである。
なお、この中央用化粧カバー１８も、リモコン本体に対し前面側から嵌め込んで、係合凹部内に係止突起１２を嵌合させて、ワンタッチで取付けできるものである。
【００１２】
図５の設置状態では、化粧カバー１６，中央用化粧カバー１８，右用化粧カバー１７のそれぞれの上面Ｐ１、および前面Ｐ２がほぼ面一状に連続して、スッキリとした設置状態が得られ、しかも各化粧カバー間のつなぎ部には、凹状溝Ｍ，Ｍが形成され、この凹状溝Ｍにより、位置ズレを吸収して目立たなくすることができるものである。
なお、リモコン本体を４個，５個、あるいはそれ以上列設させる場合にも、中央用化粧カバー１８を複数連続させて用いれば、スッキリとした設置状態を得ることができるものであり、化粧カバーの種類は、左用化粧カバー１６と、中央用化粧カバー１８の２種類のみ用意しておけば、リモコン本体の個数に応じて化粧カバーを増やすことができるものである。
【００１３】
【発明の効果】
本発明の浴室リモコンの設置構造は、ネジで浴室の壁面に固定されるリモコン本体と、リモコン本体の操作面のみを露出させてネジの頭部を隠蔽できる化粧カバーで構成されたリモコンを複数列設可能に、化粧カバーは、列設状態で少なくとも一面が面一状に連続される形状に形成されていることにより、リモコンの個数に応じて、化粧カバーを増やすことができるため、従来のようなリモコンの個数に応じた複数種類の化粧カバーを用意しておく必要がなく、化粧カバーの種類が少なく、コストを低減させて製造することができるものとなる。
【００１４】
また、列設状態において、各化粧カバーのつなぎ部分には、凹状の溝が形成されるように構成されていることにより、凹状の溝により、化粧カバー同士のつなぎ部分のズレを目立たなくすることができ、スッキリとした設置状態が得られる効果を有する。
【図面の簡単な説明】
【図１】３個の化粧カバーの分解斜視図である。
【図２】リモコン本体の斜視構成図である。
【図３】浴室の壁面にリモコン本体と化粧カバーを取付ける際の側面断面分解構成図である。
【図４】２個のリモコンを列設した状態の斜視構成図である。
【図５】３個のリモコンを列設させた状態の斜視構成図である。
【図６】従来の一体型の化粧カバーにより２個のリモコン本体を覆蓋する場合の斜視構成図である。
【図７】従来の１個のリモコン本体に１個の化粧カバーを取付ける前の分解図である。
【図８】図７のリモコンを２個列設した状態の正面図である。
【図９】図８の平面構成図である。
【符号の説明】
１　リモコン本体
１ａ　操作面
１ｂ　段部
１ｃ　ネジ孔
４　ネジ
１１　取付座
１２　係止突起
１４　コネクタ
１５　壁面
１５ａ　通し孔
１６　左用化粧カバー
１６ａ　開口
１６ｂ　外周覆蓋片
１６ｃ　係合凹部
１６ｄ　連結用Ｌ片
１８　中央用化粧カバー
１８ａ　開口
１８ｂ　上面覆蓋片
１８ｃ　下面覆蓋片
１８ｄ　連結用左Ｌ片
１８ｅ　連結用右Ｌ片
Ｐ１　上面
Ｐ２　前面
【図１】
2004008593.tif 000003
【図２】
2004008593.tif 000004
【図３】
2004008593.tif 000005
【図４】
2004008593.tif 000006
【図５】
2004008593.tif 000007
【図６】
2004008593.tif 000008
【図７】
2004008593.tif 000009
【図８】
2004008593.tif 000010
【図９】
2004008593.tif 000011